(57)【要約】【課題】情報再生装置において、本体シャーシに係止されるフロントパネルを簡単に解除して取り外すことを可能にする。【解決手段】情報再生装置１０は、本体シャーシと、本体シャーシに固定されたシャーシ補強用の補強用板金部２と、補強用板金部２に係合して取り付けられるフロントパネル３とを備える。補強用板金部２は、その上面に突出する係合爪２１ａを有し、フロントパネル３は、その前面部３１ｂの裏面における上部の長手方向の一端に補強用板金部２と略平行になるように配設された突起板３２を備える。突起板３２は、補強用板金部２の係合爪２１ａに係合する係合孔３２ａと、突起板３２に略平行な鍔部３２ｆ、３２ｇを有して並立するＬ字型リブ３２ｂ、３２ｃとを備える。これにより、Ｌ字型リブ３２ｂ、３２ｃの鍔部３２ｆ、３２ｇを指で上方に引き上げることができるので、フロントパネル３を係止から簡単に解除して取り外すことができる。【選択図】図６
0003128407.tif 000002
【実用新案登録請求の範囲】
【請求項１】
略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、
前記補強用板金部は、略長方形の平板から形成され、その長手方向の端部で前記本体シャーシにねじ止めされるねじ孔と、前記略長方形の平板の上面に突出する複数の係合爪とを有し、
前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、
前記フロントパネルの前面部の上部における突起板は、該前面部の長手方向の端部を含む複数の位置に配設されると共に、前記補強用板金部の係合爪に係合して係止される略矩形の係合孔を備え、
前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間の略中間位置に配設し、
前記突起板の係合孔が前記補強用板金部の係合爪に上方から重なるようにして係合して係止される情報再生装置において、
前記２つのリブは、それぞれのリブの上端に前記突起板と略平行にかつ互いに反対方向に鍔部を設けたＬ字型リブを備え、
前記２つのＬ字型リブの少なくとも一方を前記突起板の幅方向（前記フロントパネルの長手方向）における端部ではなく中央部に位置させると共に、前記２つのＬ字型リブ及び突起板の厚みを略同じにし、
前記２つのＬ字型リブの鍔部を両方から指で上方に引き上げることにより前記補強用板金部に係合されたフロントパネルを係止から解除することを可能にしたことを特徴とする情報再生装置。
【請求項２】
略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、
前記補強用板金部は、略長方形の平板から形成され、その長手方向の端部で前記本体シャーシにねじ止めされるねじ孔と、前記略長方形の平板の上面に突出する複数の係合爪とを有し、
前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、
前記フロントパネルの前面部の上部における突起板は、該前面部の長手方向の端部を含む複数の位置に配設されると共に、前記補強用板金部の係合爪に係合して係止される略矩形の係合孔を備え、
前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間に配設し、
前記突起板の係合孔が前記補強用板金部の係合爪に上方から重なるようにして係合して係止される情報再生装置において、
前記２つのリブの少なくとも一方のリブに前記突起板と略平行に鍔部を設け、
前記鍔部を指で上方に引き上げることにより前記補強用板金部に係合されたフロントパネルを係止から解除することを可能にしたことを特徴とする情報再生装置。
【請求項３】
前記２つのリブの両方に前記鍔部を設けたことを特徴とする請求項２に記載の情報再生装置。
【考案の詳細な説明】
【技術分野】
【０００１】
本考案は、本体シャーシにフロントパネルを着脱自在に取り付けることが可能なＤＶＤ等の情報再生装置に関する。
【背景技術】
【０００２】
従来より、ＤＶＤ等の情報再生機器におけるフロントパネルは、通常、本体シャーシ等に着脱自在に取り付けられて機器の前面側内部を保護すると共に、機器を調整制御するスイッチやツマミ等が装着される。このようなフロントパネルは、製造時や修理時において、機器内の電子回路部の調整等のために本体シャーシから分離される場合が多く、作業の迅速性のため簡単に本体シャーシから取り外されることが望まれる。例えば、図８（ａ）、（ｂ）及び（ｃ）に示すように、従来の情報再生装置１００においては、略矩形を成す本体シャーシ（図示なし）の底面部と略平行に本体シャーシに固定された横長の補強用板金部１１０に、樹脂部材で形成されたフロントパネル１２０が固定される。補強用板金部１１０は、略長方形の平板１１１から形成され、その端部で本体シャーシにねじ１３０を止めるねじ孔１１２と、その平板１１１の上面で突出する複数の係合爪１１３と、長手方向に沿って配設されたＬ字型補強部１１４とを有している。また、フロントパネル１２０は、その裏面側の上部に係合爪１１３に係合される係合孔１２３を持つ突起板１２２を有し、この突起板１２２の係合孔１２３と補強用板金部１１０の係合爪１１３とを係合してフックさせることにより、補強用板金部１１０に係止される。また、突起板１２２は、突起板１２２上において略直角にかつ互いに略平行に上方に向けて並立する２つの板状のリブ１２４、１２５を備え、係合孔１２３をこれら２つのリブ１２４、１２５の間に配設し、突起板１２２の係合孔１２３が補強用板金部１１０の係合爪１１３に上方から重なるようにして係合してロックされている。しかしながら、上記構成において、フロントパネル１２０と補強用板金部１１０との係合を解除しようとすると、突起板１２２を補強用板金部１１０の上方に持ち上げなければならない。ところが、リブ１２４、１２５を２つの指で左右から矢印Ｆ２の方向に挟んで矢印Ｆ１の方向に持ち上げようとしても、補強用板金部１１０のＬ型補強部１１４や、ねじ１３０が邪魔をするため指が入り難く挟み上げることが困難であった。また、突起板１２２の先端部には、補強用板金部１１０との係合をやり易くするため面取りしてテーパ１２６を持たせているが、この面取り量を大きく取ることは難しく、このため、テーパ１２６と補強用板金部１１０との隙間に指（爪）を入れて上記係号を外すことが困難であり、また、無理やり外そうとして指（爪）を痛めることがあった。従って、フロントパネル１２０の取り外しに別途冶具等を必要とするなど調整、修理等の作業性に欠けていた。
【０００３】
ところで、特許文献１に示されるように、電子機器を後部からパネルの開口に挿入し、筒状の取付アダプタを電子機器の後部外周に嵌合係止されることにより、電子機器にパネルを取り付ける電子機器取付装置において、電子機器側に係合凹凸部を設け、取付アダプタ側において係合凹凸部に係止される係止爪を備えた弾性の係止片と解除操作部を設け、解除操作部を複数の指で摘むことにより係止が解除可能である電子機器取付装置が知られている。しかしながら、この電子機器取付装置は、電子機器とパネルとの取付けのために別途、取付アダプタを必要とし、また、パネルから電子機器を後方に引き抜くものであり、構造が複雑であった。また、この取付装置は、機器の本体シャーシにフロントパネルを取り付けるためのものではない。
【０００４】
また、特許文献２に示されるように、機器本体に対して操作部を着脱させるために操作部の一方側を引掛手段で引っ掛けた状態において、操作部の他方側を着脱自在に結合する結合手段を有し、結合手段は前後方向へスライドするスライド部材を機器本体に設けたスライド手段と、操作部を把握する把握手段とにより構成された着脱装置が知られている。しかしながら、この装置は、機器本体とパネルの取付けのために引掛手段と結合手段とを必要とし構造が複雑であった。
【０００５】
また、特許文献３に示にされるように、液晶画面を収納した表示部カバーと、この表示部カバーを回転可能に取り付けて機器本体を収納した本体カバーとから成り、表示部カバーの前面に設けられたスライド可能な係合爪と、表示部カバー内に設けられた溝上に摺動面を有し係合爪にロックされる時に係合爪と独立して動作するツマミとを備えた小型携帯情報機器の表示部開閉ロック構造が知られている。また、特許文献４に示されるように、操作用のパネルが取外し可能な車載用電子機器のパネル着脱機構において、電子機器本体に設けられた係合凹部と、パネルを貫通して設けられたツマミとこのツマミにリンクし、かつバネ部材によりロック方向に回動付勢されたロックレバーとを有するパネルとを備え、このパネルを押し込むことにより係合凹部とロックレバーが係合してパネルを係止するように構成したパネル着脱機構が知られている。しかしながら、上記特許文献３及び特許文献４は、いずれも上述の問題点に対し有効な解決策を開示していない。
【特許文献１】特開２００２‐３２４９８１号公報
【特許文献２】特開２００２‐２７１０４２号公報
【特許文献３】特開平１１‐１４５６３０号公報
【特許文献４】実開平６‐２７３５９号公報
【考案の開示】
【考案が解決しようとする課題】
【０００６】
本考案は、上記問題を解決するためになされたものであり、情報再生機器の本体シャーシに係止されてその機器の前面を覆うフロントパネルを手の指だけで簡単に解除して取り外すことを可能とする情報再生装置を提供することを目的とする。
【課題を解決するための手段】
【０００７】
上記目的を達成するため請求項１の考案は、略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、前記補強用板金部は、略長方形の平板から形成され、その長手方向の端部で前記本体シャーシにねじ止めされるねじ孔と、前記略長方形の平板の上面に突出する複数の係合爪とを有し、前記フロントパネルは、その前面部の裏面における上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、前記フロントパネルの前面部の上部における突起板は、該前面部の長手方向の端部を含む複数の位置に配設されると共に、前記補強用板金部の係合爪に係合して係止される略矩形の係合孔を備え、前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間の略中間位置に配設し、前記突起板の係合孔が前記補強用板金部の係合爪に上方から重なるようにして係合して係止される情報再生装置において、前記２つのリブは、それぞれのリブの上端に前記突起板と略平行にかつ互いに反対方向に鍔部を設けたＬ字型リブを備え、前記２つのＬ字型リブの少なくとも一方を前記突起板の幅方向（前記フロントパネルの長手方向）における端部ではなく中央部に位置させると共に、前記２つのＬ字型リブ及び突起板の厚みを略同じにし、前記２つのＬ字型リブの鍔部を両方から指で上方に引き上げることにより前記補強用板金部に係合されたフロントパネルを係止から解除することを可能にしたものである。
【０００８】
請求項２の考案は、略矩形を成す本体シャーシと、この本体シャーシの底面部と略平行に該本体シャーシに固定されたフロントパネル取付用の補強用板金部と、前記補強用板金部に係合して取り付けられて前記本体シャーシの前面側を覆う略矩形のフロントパネルと、を備え、前記補強用板金部は、略長方形の平板から形成され、その長手方向の端部で前記本体シャーシにねじ止めされるねじ孔と、前記略長方形の平板の上面に突出する複数の係合爪とを有し、前記フロントパネルは、その前面部の裏面における長手方向の上部及び下部にそれぞれ前記前面部と略直角となり、かつ前記補強用板金部と略平行になるように配設された複数の突起板を備えると共に、これら上部及び下部のそれぞれの突起板により前記補強用板金部の上側と前記本体シャーシの底面部の下側とから、前記補強用板金部と前記本体シャーシとを挟むようにして前記本体シャーシに取り付けられ、
前記フロントパネルの前面部の上部における突起板は、該前面部の長手方向の端部を含む複数の位置に配設されると共に、前記補強用板金部の係合爪に係合して係止される略矩形の係合孔を備え、前記前面部の上部に配された突起板のうち、前記前面部の長手方向の端部に配設された突起板は、該突起板から上方に向けて略直角にかつ互いに略平行に並立する２つの板状のリブを備え、前記係合孔をこれら２つのリブ間に配設し、前記突起板の係合孔が前記補強用板金部の係合爪に上方から重なるようにして係合して係止される情報再生装置において、前記２つのリブの少なくとも一方のリブに前記突起板と略平行に鍔部を設け、前記鍔部を指で上方に引き上げることにより前記補強用板金部に係合されたフロントパネルを係合から外すことを可能にしたものである。
【０００９】
請求項３の考案は、請求項２に記載の情報再生装置において、前記２つのリブの両方に前記鍔部を設けたものである。
【考案の効果】
【００１０】
請求項１の考案によれば、２つのＬ字型リブの鍔部を手の指で摘んで簡単に引っ張り上げることができるので、補強用板金部に係合する突起板を手の指だけで容易に解除することができ、本体シャーシにロックされたフロントパネルを簡単に取り外すことができる。これにより、製造ラインでの調整や修理時におけるフロントパネルの取り外し作業においては、冶具等を必要とせず作業を迅速に行えるので、製造ラインの作業性が向上すると共に、機器内の電子回路の調整等を効率良く行うことができる。また、Ｌ字型リブの位置を突起板の中央部に位置させることにより、鍔部も中央部に寄せることができるので、突起板の幅方向（フロントパネルの長手方向）の端部近くにねじが存在した場合にも、このねじ山等に邪魔されずにＬ字型リブの鍔部を摘むことができる。また、Ｌ字型リブの鍔部を突起板と平行な方向に構成しているので、突起板と同じ方向に金型を抜くことができ、従来の金型製作の工程に大きな変更なしに金型製作を行うことができる。また、Ｌ字型リブと突起板の板厚を略同じにしたことにより、部品成形時の硬化時間差に伴い成形品外表面に発生する窪みであるヒケ（凹痕）や、糸状の細い線状痕であるウェルドラインの発生を抑制でき、また、金型をスムーズに抜けるので引っ掛かって材料が白くなって白化することもない。これにより、品質や製品歩留まりの低下無しに突起板を成形することが可能となる。
【００１１】
請求項２の考案によれば、鍔部に指を引掛けることができるので、係合する突起板を容易に引き上げることができ、手の指だけで簡単に係合を解除することができる。従って、上述と同様に、製造ラインでの調整や修理時におけるフロントパネルの取り外し作業においては、冶具等を必要とせず作業を迅速に行えるので、製造ラインの作業性が向上すると共に、機器内の電子回路の調整等を効率良く行うことができる。
【００１２】
請求項３の考案によれば、２つの鍔部の両方にそれぞれ指を引掛けることができるので、係合する突起板をより強く引き上げることができ、より簡単に係合を解除することができる。
【考案を実施するための最良の形態】
【００１３】
以下、本考案の一実施形態について図面を参照して説明する。図１及び図２において、本実施形態における情報再生装置１０は、本体シャーシ１と、補強用板金部２と、フロントパネル３とを備え、情報再生機器をカバーするケースが取り付けられる本体シャーシ１から、機器の前面をカバーするフロントパネル３を取り外し易くするものである
【００１４】
本体シャーシ１は、略矩形を成し、底面部１１、側面部１２、１３、及び裏面部１４を有する。底面部１１は、フロントパネル３が取り付けられる前面側において、底面に平行に、かつ底面より高くなる係合台１５が形成され、この係合台１５の裏面にはフロントパネル３の下部側を係合する係合爪１５ａ、１５ｂ、１５ｃが設けられている。また、係合台１５上には、補強用板金部２を支持するための複数の支持部１６、１７、及び１８が、係合台１５に垂直で互いに略同じ高さになるように、係合台１５の長手方向の両端と中間部とにそれぞれ配設されている。また、支持部１６における本体シャーシ１の外部側の側面と本体シャーシ１の側面部１２には、フロントパネル３の側面側と係合する係合爪１６ａ及び１２ａがそれぞれ設けられている。
【００１５】
補強用板金部２は、本体シャーシ１に固定されシャーシ強化用の金具であり、金属部材を用いた板金加工で形成される。この補強用板金部２は、略長方形の平板２０から形成され、その両端と中間部に、本体シャーシ１の係合台１５の支持部１６、１７、及び１８に固定されるねじ孔２４を備えた略平面の接続部２１、２２、２３を有し、これら隣接する各接続部間はそれぞれ連結板部２５、２６で連結され、接続部２１、２２、２３付近には、それぞれフロントパネル３の上部側と係合する係合爪２１ａ、２２ａ、及び２３ａが平板上に突出して設けられている。
【００１６】
フロントパネル３は、弾性を持つ樹脂部材等で形成され、略矩形の枠部３１ａとこの枠部３１ａの前面側を覆う前面部３１ｂとを有し、本体シャーシ１に取り付けられてその前面側を覆う前面カバーを成す。このフロントパネル３は、その前面部３１ｂの裏面の上部及び下部における各両端部及び中間部において、それぞれ前面部３１ｂと略直角となり、かつ補強用板金部２と略平行になるように配設された平板状の複数の突起板３２、３３及び３４と、突起板３７、３８及び３９とを備えている。また、これら上部側の突起板３２、３３及び３４は、補強用板金部２の各係合爪２１ａ、２２ａ、及び２３ａに係合して係止される略矩形の係合孔３２ａ、３３ａ、３４ａを備え、下部側の突起板３７、３８及び３９は、本体シャーシ１の係合台１５裏面の係合爪１５ａ、１５ｂ、１５ｃと係合する略矩形の係合孔３７ａ、３８ａ及び３９ａをそれぞれ備えている。また、前面部３１ｂの裏面の左右の側面側においては、前面部３１ｂに略直角となり、かつ本体シャーシ１の側面部１２、１３と略平行になるように配設された突起板３５、３６が形成され、これら突起板３５、３６には、本体シャーシ１の支持部１６及び側面部１２における係合爪１６ａ、１２ａと係合する係合孔３５ａ、３６ａが設けられている。また、前面部３１ｂの長手方向の端部に位置する突起板３２は、その平板上にＬ字型リブ３２ｂ、３２ｃを有する。
【００１７】
これらＬ字型リブ３２ｂ、３２ｃは、図３（ａ）、（ｂ）に示すように、突起板３２の平板上において上方に向けて略直角にかつ互いに略平行に並立する２つの板状のリブ３２ｄ、３２ｅと、これらリブ３２ｄ、３２ｅの上端に突起板３２と略平行に、かつ互いに反対方向に設けられた鍔部３２ｆ、３２ｇとにより形成されている。これらのＬ字型リブ３２ｂ、３２ｃは、フロントパネル３の枠部３１ａの上面近くまで伸びる高さとなっている。また、係合孔３２ａはこれら２つのリブ３２ｂ、３２ｃ間の略中間位置に配設されている。また、リブ３２ｄ、３２ｅは、突起板３２の補強の機能も備えている。また、２つのＬ字型リブ３２ｂ、３２ｃと突起板３２とは、同じ厚みで一体に形成されている。これにより、突起板３２の成形時に、厚みの異なりによる冷却時の硬化時間差を抑え、ヒケやウェルドライン、白化等の影響を無くし、形状バラツキの少ない均質な突起板３２の製作を可能としている。
【００１８】
上記構成において、図４に示すように、フロントパネル３の本体シャーシ１（図１参照）への取り付けは、フロントパネル３の前面部３１ｂの上部の突起板３２、３３及び３４と、下部の突起板３７、３８及び３９とが、補強用板金部２の上側と本体シャーシ１の底面部１１の下側とから、補強用板金部２と本体シャーシ１とを挟むようにして係合することにより行われる。このとき、突起板３２、３３及び３４の各係合孔３２ａ、３３ａ、及び３４ａは、これらに対応する補強用板金部２の係合爪２１ａ、２２ａ、及び２３ａと係合しフックされて係止される。また、突起板３７、３８及び３９における各係合孔３７ａ、３８ａ、及び３９ａは、これらに対応する本体シャーシ１の係合台１５の係合爪１５ａ、１５ｂ、及び１５ｃと係合する。また、フロントパネル３の側面側の突起板３５、３６の係合孔３５ａ、３６ａが、本体シャーシ１の支持部１６及び側面部１２における係合爪１６ａ、１２ａと係合することにより、フロントパネル３の側面が本体シャーシ１に固定される。このように、フロントパネル３は、本体シャーシ１に上下及び側面で係合して取り付けられる。ここでは、フロントパネル３と本体シャーシ１との係合においては、フロントパネル３の上部における補強用板金部２との係合がフロントパネル３の下部や側面における係合より強くしてある。これにより、上部の係合を外すことにより、全体が本体シャーシ１から外れ易くなるように構成している。なお、図４では、図面を単純化するために本体シャーシ１は図示を省いている。
【００１９】
このフロントパネル３と本体シャーシ１に固定される補強用板金部２の係合において、フロントパネル３の前面部３１ｂにおける長手方向の一方の端部における突起板３２と補強用板金部２の係合状態について図５（ａ）、（ｂ）を参照して説明する。図５（ａ）は、フロントパネル３の前面側から見た本実施形態の情報再生装置１０の部分斜視図であり、図５（ｂ）は、図５（ａ）における平面を示す。これらの図において、補強用板金部２には、連結板部２５を強化するＬ字型補強部２７が連結板部２５の長手方向の端部を上方にＬ字型に折り曲げて形成されている。また、突起板３２上のＬ字型リブ３２ｂ、３２ｃのうち、一方のＬ字型リブ３２ｂは、突起板３２のフロントパネル３の長手方向の幅Ｌ１における端部ではなく、ねじ孔２４から離れる方向に幅Ｌ１の端部３２ｈ（図５（ａ）における右端）から長さＬ２だけ離れた略中央部に位置している。これにより、Ｌ字型リブ３２ｂをねじ孔２４から離すことができるので、鍔部３２ｆも中央部に寄せることができ、突起板３２の幅方向（フロントパネルの長手方向）の端部近くにねじが存在した場合おいても、ねじに影響されずにＬ字型リブ３２ｂの鍔部３２ｆを構成することができる。
【００２０】
次に、補強用板金部２に係合しているフロントパネル３を係止から解除する場合の処理について、図６、図７を参照して説明する。図６は、図５（ａ）のＤ部の拡大図であって、補強用板金部２のねじ孔２４の１つがねじ４で止められた場合を示す。これらの図において、補強用板金部２の接続部２１における係合爪２１ａは、平板を打ち抜いて略三角状の山型に形成されて平板上に突出させられている。フロントパネル３の突起板３２の先端部には、テーパ３２ｉが設けられ、このテーパ３２ｉを設けたことにより突起板３２は、補強用板金部２への係合時に補強用板金部２の上面を滑べるようにしてこの係合爪２１ａを覆い、突起板３２の係合孔３２ａと補強用板金部２上の係合爪２１ａとをスムーズに係合させることができる。この係合された状態からフロントパネル３を取り外す際、２つのＬ字型リブ３２ｂ、３２ｃの鍔部３２ｆ、３２ｇを人間の親指と人差し指の各指Ｍで挟んで引掛けるようにして、鍔部３２ｆ、３２ｇを上方に引き上げることにより、簡単に係合爪２１ａが係合孔３２ａから外れて係合によるフック状態が解除される。また、突起板３２の先端部にＬ字型補強部２７の壁があっても、これに影響されずに上記の係合を解除することができる。また、Ｌ字型リブ３２ｂが突起板３２の幅方向の端部３２ｈではなく、突起版３２の幅方向の中央部に位置するので、端部３２ｈの近くのねじ孔２４にねじ４が止められた場合においても、ねじ４に影響されずに鍔部３２ｆを摘むことができる。また、図７に示すように、Ｌ字型リブ３２ｃ（Ｌ字型リブ３２ｂも同様）の鍔部３２ｇ（鍔部３２ｆも同様）は、その厚みｄ２の位置がフロントパネル３の突起板３２と略平行となる枠部３１ａの外壁部の肉厚ｄ１の厚みの範囲内に位置されるように配設されている。これにより、フロントパネル３の金型による成形において、Ｌ字型リブ３２ｂ、３２ｃを形成してもフロントパネル３を金型で抜くことができ、金型製作が可能となる。また、フロントパネル３は弾性を持つので、その前面部３１ｂの長手方向の一端にある突起板３２から係合を外すことにより、フロントパネル３全体を補強用板金部２から解除し易くなる。
【００２１】
このように、本実施形態の情報再生装置１０によれば、フロントパネル３の突起板３２に２つのＬ字型リブ３２ｂ、３２ｃを設けたことにより、それらの鍔部３２ｆ、３２ｇを手の指Ｍで摘んで引っ張り上げることができるので、補強用板金部２に係合する突起板３２を強く引き上げることができ、手の指Ｍだけで、また指（爪）を痛めることなく容易に係合状態を解除することができる。これにより、本体シャーシ１にロックされたフロントパネル３を簡単に取り外すことができる。また、製造ラインでの調整や修理時におけるフロントパネルの取り外し作業においては、冶具等を必要とせず作業を迅速に行えるので、製造ラインの作業性が向上すると共に、情報再生機器の調整等を効率良く行うことができる。また、Ｌ字型リブ３２ｂ、３２ｃの位置を突起板３２の略中央部に位置させることにより、突起板３２の幅方向の端部３２ｈの近くにねじ４等の突出部材が存在した場合においても、それらに邪魔されずにＬ字型リブ３２ｂ、３２ｃの鍔部３２ｆ、３２ｇを摘んで係合を解除することができる。また、冶具を使って係合を解除する場合においても、ひも、ワイヤ等の簡単な冶具で鍔部３２ｆ、３２ｇを引き上げることができる。また、Ｌ字型リブ３２ｂ、３２ｃの鍔部３２ｆ、３２ｇを突起板３２と平行な方向に構成しているので、突起板３２と同じ方向に鍔部３２ｆ、３２ｇの金型を抜くことができ、従来の金型製作に大きな変更なしに金型を形成することが可能となる。また、Ｌ字型リブ３２ｂ、３２ｃと突起板３２の板厚を略同じにしたことにより、部品成形時の硬化時間差に伴う成形品外表面に発生するヒケ（凹痕）と言われる窪みや、糸状の細いウェルドラインと言われる線状痕の発生を抑制でき、また、金型がスムーズに抜けるので、引っ掛かり等で生じる不要な応力により成形材料が白くなる白化が発生することもない。これにより、品質や製品歩留まりを低下させることなく突起板３２を成形することが可能となる。
【００２２】
なお、本考案は上記実施形態の構成に限定されるものではなく、考案の趣旨を変更しない範囲で適宜に種々の変形が可能である。例えば、Ｌ字型リブの鍔部を、フロントパネルの前面部と直接連結することにより、鍔部の保持強度を増すことができる。また、Ｌ字型リブを複数の突起板上に形成して、係合状態を全て指で解除することもできる。
【図面の簡単な説明】
【００２３】
【図１】本考案の一実施形態に係る情報再生装置の分解構成図。
【図２】同上装置の前面側からみた斜視図。
【図３】（ａ）は図１のＡ部の裏面から見た拡大図、（ｂ）は（ａ）のＢ部の拡大図。
【図４】同上装置のフロントパネルと補強用板金部との接続状態を示す図。
【図５】（ａ）は図４のＣ部の前面から見た斜視図、（ｂ）は（ａ）の平面図。
【図６】図５（ａ）のＤ部の拡大図。
【図７】図６のＸ１−Ｘ１線断面図。
【図８】（ａ）は従来の情報再生装置の部分斜視図、（ｂ）は（ａ）のＰ部の拡大図、（ｃ）は（ｂ）のＸ２−Ｘ２線断面図。
【符号の説明】
【００２４】
１  本体シャーシ
２  補強用板金部
３  フロントパネル
１０  情報再生装置
２１ａ  係合爪
２４  ねじ孔
３２  突起板
３２ａ  係合孔
３２ｂ、３２ｃ  Ｌ字型リブ
３２ｄ、３２ｅ  リブ
３２ｆ、３２ｇ  鍔部
【図１】
0003128407.tif 000003
【図２】
0003128407.tif 000004
【図３】
0003128407.tif 000005
【図４】
0003128407.tif 000006
【図５】
0003128407.tif 000007
【図６】
0003128407.tif 000008
【図７】
0003128407.tif 000009
【図８】
0003128407.tif 000010